(57)【特許請求の範囲】
【請求項１】
顧客の物品が保護箱に格納され、ブースに設けられた保護箱利用口を介して顧客が前記保護箱を利用する貸金庫システムであって、
保護箱に、顧客がブース内で入力した顧客確認情報を受信可能とするデータ通信手段と、電気錠とを設け、
前記電気錠は、
保護箱が保護箱利用口に到着して保護箱に電源供給されて作動し、カンヌキの解錠方向への移動の規制を解除する第１ソレノイドと、
前記データ通信手段により受信した顧客確認情報と予め保護箱毎に付与された顧客登録情報とが一致することにより作動して、カンヌキを解錠方向に移動させる第２ソレノイドと、
を備えることを特徴とする貸金庫システム。
【請求項２】
前記第１ソレノイドおよび第２ソレノイドは各伸長方向が互いに異なるように配置されていることを特徴とする請求項１に記載の貸金庫システム。
【請求項３】
前記保護箱は、鍵の操作によりカンヌキを解錠方向に移動させる機械錠を備え、
前記第１ソレノイドの作動によりカンヌキの解錠方向への移動の規制が解除された後、前記第２ソレノイドと前記機械錠のいずれによってもカンヌキを解錠方向に移動させることができることを特徴とする請求項１または請求項２に記載の貸金庫システム。
【請求項４】
前記保護箱利用口はブースに設けられた操作装置に形成され、
前記操作装置は、保護箱が保護箱利用口に到着したときに保護箱に電源供給するとともに、保護箱に支店番号または操作装置の装置番号を送信し、
前記第１ソレノイドは、保護箱が保護箱利用口に到着して前記操作装置から電源供給され、かつ前記操作装置から送信された支店番号または操作装置の装置番号と予め保護箱に登録された支店番号または操作装置の装置番号とが一致したときに作動して、カンヌキの解錠方向への移動の規制を解除することを特徴とする請求項１ないし請求項３のいずれか一項に記載の貸金庫システム。
【発明の詳細な説明】
【技術分野】
【０００１】
本発明は、貸金庫システムに関するものである。
【背景技術】
【０００２】
貸金庫システムの一例としては、複数の顧客に対応してそれぞれ設けられ、各顧客が所有する被格納物を格納するための複数の保護箱と、各保護箱を収納するための収納部と、取り出し指示信号に基づいて開口し、返却指示信号に基づいて閉じる保護箱利用口と、保護箱を前記収納部と前記保護箱利用口との間で搬送する搬送手段と、各顧客が顧客確認情報を入力する操作部と、顧客確認情報の入力に基づき、搬送手段および保護箱利用口を制御する制御部と、前記保護箱利用口および操作部を収容し、顧客が保護箱に被格納物の出し入れを行うブースと、を備えた構成のものが挙げられる（例えば、特許文献１−３参照）。
【０００３】
従来の貸金庫システムでは、保護箱は鍵によってのみ施錠／解錠される構造になっている。ブースの操作部は、例えばスライド開閉式のシャッタを備えた保護箱利用口と、タッチパネルによる入力方式の操作パネルと、利用者の認証カードを読み込む挿入式のカードリーダとを備える。正規な利用者である場合、その利用者がカードリーダに認証カードを挿入し、操作パネルにより暗証番号を入力することで、保護箱が保護箱利用口まで搬送され、シャッタが開く。保護箱利用口のシャッタが開くと、保護箱の上部蓋を鍵で解錠して蓋を開け、保護箱内から目的のものを取り出したり、収納する。保護箱を利用した後は、保護箱の蓋を閉め、鍵で施錠し、ブースの操作画面での返却ボタン等の操作により、保護箱利用口のシャッタが閉じ、保護箱は収納部へ搬送される。
【特許文献１】特公平２−１９５６号公報
【特許文献２】特開２００６−９７４３４号公報
【特許文献３】特開２００７−２３６６８号公報
【発明の開示】
【発明が解決しようとする課題】
【０００４】
従来の技術では、保護箱の上部蓋を解施錠するものは鍵のみであるため、利用者は認証カードと、保護箱の蓋を解施錠するための鍵の両方所持しなければ貸金庫システムを利用することが出来ず、特に鍵は厳重に管理する必要があり、また持ち運びにかさばるため鍵の使用は利用者にとっては煩わしかった。
また保護箱がブース内の保護箱利用口まで搬送された履歴は残るが、利用者が保護箱内の目的物を出し入れする直前の行動である保護箱の蓋を解錠したという履歴は残っていなかった。
【０００５】
本発明は、主に、（１）銀行より貸与された鍵を使用しなくても保護箱を開けることができる、（２）保護箱の蓋の解施錠や開閉の履歴を残す、等を目的として創作されたものである。
【課題を解決するための手段】
【０００６】
本発明は、前記課題を解決するため、顧客の物品が保護箱に格納され、ブースに設けられた保護箱利用口を介して顧客が前記保護箱を利用する貸金庫システムであって、保護箱に、顧客がブース内で入力した顧客確認情報を受信可能とするデータ通信手段と、電気錠とを設け、前記電気錠は、保護箱が保護箱利用口に到着して保護箱に電源供給されて作動し、カンヌキの解錠方向への移動の規制を解除する第１ソレノイドと、前記データ通信手段により受信した顧客確認情報と予め保護箱毎に付与された顧客登録情報とが一致することにより作動して、カンヌキを解錠方向に移動させる第２ソレノイドと、を備えることを特徴とする貸金庫システムとした。
【０００７】
この貸金庫システムによれば、高いセキュリティ性を維持しつつ、銀行に貸与された鍵を使用しなくても保護箱を開けることができる。
また、この貸金庫システムによれば、保護箱個々にバッテリ等の電源を備える必要がなくなり、バッテリ等の電源切れにより保護箱の電気錠が解錠不能となることもない。また、経済的な貸金庫システムを構築できる。
【０００８】
また、本発明は、前記第１ソレノイドおよび第２ソレノイドは各伸長方向が互いに異なるように配置されていることを特徴とする。
【０００９】
また、本発明は、前記保護箱は、鍵の操作によりカンヌキを解錠方向に移動させる機械錠を備え、前記第１ソレノイドの作動によりカンヌキの解錠方向への移動の規制が解除された後、前記第２ソレノイドと前記機械錠のいずれによってもカンヌキを解錠方向に移動させることができることを特徴とする。
【００１０】
また、本発明は、前記保護箱利用口はブースに設けられた操作装置に形成され、前記操作装置は、保護箱が保護箱利用口に到着したときに保護箱に電源供給するとともに、保護箱に支店番号または操作装置の装置番号を送信し、前記第１ソレノイドは、保護箱が保護箱利用口に到着して前記操作装置から電源供給され、かつ前記操作装置から送信された支店番号または操作装置の装置番号と予め保護箱に登録された支店番号または操作装置の装置番号とが一致したときに作動して、カンヌキの解錠方向への移動の規制を解除することを特徴とする。
【発明の効果】
【００１４】
本発明によれば、高いセキュリティ性を維持しつつ、銀行に貸与された鍵を使用しなくても保護箱を開けることができ、顧客にとって貸金庫利用の便宜性が向上する。
【発明を実施するための最良の形態】
【００１５】
図１は貸金庫システムにおけるブース周りの一例を示す外観斜視図、図２は保護箱の外観斜視図である。顧客が利用するブース１は仕切り壁３を隔てて貸金庫室２に隣接している。貸金庫室２内では各顧客の物品を格納した複数の保護箱５（図２）が所定の収納部に収納されており、ブース１内の顧客の指示を受けることで、図示しない搬送装置により、その顧客の保護箱５がブース１内の保護箱利用口４まで搬送される。保護箱利用口４は、操作装置６に形成されており、通常時は例えばスライド開閉式のシャッタ４ａにより閉じられている。
【００１６】
操作装置６には、タッチパネルによる入力方式の操作パネル７が設けられている。この操作パネル７は各種情報を表示するモニタ機能を有する。顧客は、この操作パネル７を用いて顧客個々を特定するための顧客確認情報を入力する。操作パネル７で入力する顧客確認情報としては、パスワードや暗証番号等が挙げられる。他の顧客確認情報としては、てのひら静脈や指静脈などの生体情報やＩＣカード情報などが挙げられ、その場合それぞれ生体認証装置、ＩＣカードリーダを介して情報を入力する。
【００１７】
本発明における貸金庫システムでは、従来の貸金庫システムと同様に顧客が、まず保護箱５をブース１内の保護箱利用口４まで搬送するために操作装置６のカードリーダに認証カードを挿入し、操作パネル７により暗証番号を入力する。図示しないメインコントローラが、これらの入力された顧客確認情報が予めメインコントローラに登録されている顧客登録情報と一致するか否かを判別し、正規な利用者である場合、保護箱５がブース１内の保護箱利用口４まで搬送される。メインコントローラは例えば貸金庫室２内に設置される。保護箱５が保護箱利用口４に到着すると、ブース１の操作パネル７の操作により保護箱利用口４のシャッタを開口する。次に保護箱５の蓋９を解錠するための顧客確認情報を操作装置６で入力する。後記する保護箱５内の照合部１３は、入力された顧客確認情報が予め登録されている顧客登録情報と一致するか否かを判別し、正規な利用者である場合、保護箱の蓋９が解錠される。保護箱５をブース１内の保護箱利用口４まで搬送するための顧客確認情報と保護箱５の蓋９を解錠するための顧客確認情報とは異なるものにすることがセキュリティ上望ましい。本発明において、保護箱５の蓋９を解錠するための顧客確認情報を入力する装置はブース１内の操作装置６に限られず、ブース１内に操作装置６とは別に設けた専用の操作装置でもよい。
【００１８】
図２において、保護箱５は扁平の直方体形状を呈しており、上面の中央部には、ロータリ式の手動による解施錠用のツマミ部８を一端側に有した回動開閉式の蓋９が取り付けられている。顧客はツマミ部８を回して解錠したうえで、蓋９を仮想線で示すように上方に開き、収納部１０において物品の出し入れを行う。
【００１９】
保護箱５の長手方向一端側（ツマミ部８が位置する側）には、収納部１０とは独立して制御ユニット１１が設けられている。制御ユニット１１は、電気錠１２、照合部１３、制御部１４、記憶部１５、電源供給部１６、データ通信部１７等から構成される。制御ユニット１１を覆う保護箱５の上面には、機械錠１８の鍵差込口、電源ランプ１９、解錠ランプ２０、施錠ランプ２１が取り付けられ、一側面には、電源供給部１６としての接触式の電源接続端子１６ａおよび前記データ通信部１７としての赤外線通信窓１７ａが取り付けられている。電源ランプ１９は保護箱５に電源が供給されたときに、解錠ランプ２０は保護箱５が解錠状態にあるときに、施錠ランプ２１は保護箱５が施錠状態にあるときに、それぞれ点灯する。保護箱５の筐体の形成態様については、収納部１０と制御ユニット１１とを一体に覆う筐体としてもよいし、収納部１０と制御ユニット１１とをそれぞれ別々に覆う筐体として、後から両筐体を一体に連結する構造としてもよい。収納部１０と制御ユニット１１とを別々の筐体にすることにより、保護箱５の施錠状態を保持して制御ユニット１０の基板交換やメンテナンスを行うことも可能となる。
【００２０】
図３は電気錠１２の平面構造図である。長尺状のカンヌキ２２はその略中央部で、鉛直軸である支軸２３に回転自在に枢支されており、カンヌキ２２の一端に形成された凸状の鉤部２２ａが前記ツマミ部８と一体に動く係合片８ａの係合部８ｂに係合することにより保護箱５が施錠状態となる。符号２４は、係合片８ａに当接、非当接となることでツマミ部８の開閉位置を検知するリミットスイッチからなる検知センサである。
【００２１】
カンヌキ２２の回転の規制および規制解除には２つのソレノイドが関与する。第１ソレノイド（マスターロックソレノイド）２５は、伸長状態にあるときのピン２５ａが、係合部８ｂと係合状態にあるカンヌキ２２の一端の切欠き部２２ｂに係止することにより、カンヌキ２２の解錠方向への回転を規制する。ピン２５ａが縮退すると規制解除となる。ピン２５ａは非通電時に伸長して通電時に縮退し、その伸長方向は施錠状態のカンヌキ２２の延在方向と略平行である。ピン２５ａには板状の検知片２６が取り付けられており、リミットスイッチからなる検知センサ２７がこの検知片２６に当接することで第１ソレノイド２５の作動状態が検知される。また、第１ソレノイド２５の故障等を考慮して、ソレノイド本体部と前記検知片２６との間には、ピン２５ａを常に伸長する方向に付勢する圧縮コイルばね２８が設けられている。
【００２２】
第２ソレノイド２９は、そのピン２９ａの先端が、カンヌキ２２における支軸２３と一端部との間に形成された鉛直軸の連結軸３０を介してカンヌキ２２に連結される。なお厳密に言えば、ピン２９ａの直線運動をカンヌキ２２の回転運動に変換するため、連結軸３０周りの構造は軸とこの軸の移動を許容する孔（長孔等）とから構成されている。ピン２９ａが伸長した状態でカンヌキ２２の鉤部２２ａが係合部８ｂに係合し、縮退した状態で鉤部２２ａが係合部８ｂから外れる。ピン２９ａは非通電時に伸長して通電時に縮退し、その伸長方向は第１ソレノイド２５のピン２５ａの伸長方向と直交している。このようにカンヌキ２２に対して２つのソレノイドの伸長方向を互いに異ならせることにより、たとえ保護箱５が一方向に大きな振動や衝撃を受けても、少なくとも一方のソレノイドが正常に維持されやすくなるので、蓋９の施錠が確実に維持される。また、第２ソレノイドの故障等を考慮して、保護箱５に固設した図示しない固定部材とカンヌキ２２の一端部との間には、カンヌキ２２を常に施錠方向に付勢する圧縮コイルばね３１が設けられる。
【００２３】
機械錠１８は、顧客が鍵を用いて保護箱５を開ける場合に使用する。機械錠１８としては公知のシリンダー錠が適用され、カンヌキ２２の他端側に係合している。顧客が図示しない鍵を鍵差込口に差し込み、回すことでカンヌキ２２が解錠方向に回転し、ツマミ部８が開方向に回転可能な状態となる。なお、鍵を差し込むとき、つまり保護箱５を利用しようとするときには、後記するように電源供給部１６を介して第１ソレノイド２５が通電状態となるので、ピン２５ａは縮退し、鍵によるカンヌキ２２の解錠方向への回転が可能となる。
【００２４】
図４に保護箱５の蓋９を施解錠するための貸金庫システム全体の一構成例を示す。先ずブース側（操作装置６側）においては、顧客個々を特定する顧客確認情報を入力するための顧客確認情報入力部５１および各種情報を表示する表示部５２が備えられ、その具体例として前記したタッチパネルによる入力方式の操作パネル７（図１）が挙げられる。保護箱５の蓋９を解錠するための暗証番号などの顧客確認情報は顧客が自由に設定できるものである。顧客確認情報入力部５１で入力された顧客確認情報は受信部５３で受信された後、暗号部５４で暗号処理されて送信部５５から保護箱５に送信される。保護箱５から送信された各種情報は受信部５６で受信され、復号部５７、演算部５８を経て表示部５２に表示される。他に、ブース側（操作装置６側）には、各コンピュータプログラムを格納したプログラムメモリ５９、保護箱５への給電制御を行う給電制御部６０、保護箱５が保護箱利用口４に到着したことを検知する保護箱検知部６１が備えられる。
【００２５】
保護箱５側においては、ブース側から送信される顧客確認情報を受信する受信部６２と、復号処理する復号部６３と、復号化された顧客確認情報と予め登録されている顧客登録情報とを照合する照合部１３と、照合部１３で両情報が一致したときに第２ソレノイド２９および表示部（解錠ランプ２０）を作動させる制御部１４とを備える。照合部１３はＣＰＵから構成される。具体的なソレノイド（第１ソレノイド２５、第２ソレノイド２９）の作動を以下に述べる。まず保護箱５がブース１の保護箱利用口４へ搬送され、電源供給部１６を介して操作装置６側から給電されると第１ソレノイド２５が作動し、電源ランプ１９が点灯し、第１ソレノイド２５とカンヌキ２２との係合が解除される。次に操作装置６から入力される顧客確認情報がデータ通信部１７を介して保護箱５の照合部１３へ送信され予め記憶部１５に記憶されている顧客登録情報と照合し、照合一致の場合、第２ソレノイド２９が作動し、カンヌキ２２とツマミ部８との係合が解除され、解錠ランプ２０が点灯し、保護箱５の蓋９が解錠される。
また、検知部（検知センサ２４、２７）で得られる保護箱５の開閉履歴等の情報は、暗号部６４で暗号処理されて送信部６５からブース側に送信される。照合部１３では、その他の情報についての照合を行う場合もある。
【００２６】
また、保護箱５には、コンピュータプログラムを格納したプログラムメモリ６６、顧客登録情報を格納した顧客登録情報格納部６７、貸金庫番号を格納した貸金庫番号格納部６８、保護箱５の利用履歴等のイベントを格納するイベント格納部６９が備わり、さらに保護箱利用口４に到着したときに、例えば操作装置６内の電源７０に接続する電源供給部１６が備わる。以上において、受信部６２および送信部６５が前記したデータ通信部１７を構成し、プログラムメモリ６６、顧客登録情報格納部６７、貸金庫番号格納部６８、イベント格納部６９が前記した記憶部１５を構成する。データ通信部１７としては、赤外線通信などの非接触方式や、接続端子同士を接触させる接触方式にしてもよい。また、電源供給部１６としては、接触式の電源供給部でも非接触式の電源供給部でもよい。
【００２７】
その他、保護箱５の記憶部１５に保護箱５が収納されている場所を特定する銀行の支店番号などを記憶させてもよく、本実施形態においては、保護箱５がブース１の保護箱利用口４へ搬送され、電源供給部１６を介して操作装置６側から給電されるとき、同時にデータ通信部１７を介して銀行の支店番号が送信される。そして、記憶部１５には、解錠が許可された銀行の支店番号が登録されており、給電時に、データ通信部１７を介して送信された銀行の支店番号と記憶部１５に登録された銀行の支店番号との照合が行われるようになっている。この照合は前記照合部１３を利用することができる。この場合、保護箱５が操作装置６側から給電されるときに銀行の支店番号による照合を行っており、保護箱５の電源供給部１６を介して不正に給電するだけでは第１ソレノイド２５は作動せず、セキュリティが向上する。また、他の支店に収納している保護箱を単に移し替えた場合は保護箱５の蓋９を解錠することは出来ない。なお、保護箱５に送信する銀行の支店番号は、図示しない上位コンピュータに問い合わせて取得してもよいし、操作装置６内のメモリから取得してもよい。
【００２８】
その他、例えば操作装置６（図１）が複数台備えられた貸金庫システムの場合には、記憶部１５に操作装置６の装置番号などを記憶させてもよく、この場合、顧客がどの操作装置６を利用したか履歴として残せる。本実施形態においては、保護箱５が電源供給部１６を介して操作装置６側から給電されるとき、同時にデータ通信部１７を介して操作装置６の装置番号が送信される。そして、記憶部１５には、全ての操作装置６の装置番号が登録されており、給電時に、データ通信部１７を介して送信された操作装置６の装置番号と記憶部１５に登録された操作装置６の装置番号との照合が行われるようになっている。この照合は前記照合部１３を利用することができる。なお、保護箱５に送信する操作装置６の装置番号は、図示しない上位コンピュータに問い合わせて取得してもよいし、操作装置６内のメモリから取得してもよい。
【００２９】
また、上記の操作装置６（図１）が複数台備えられた貸金庫システムの場合に、記憶部１５に、全ての操作装置６の装置番号ではなく、特定の操作装置６の装置番号のみを記憶させてもよい。この場合には、照合部１３での照合により顧客は特定の操作装置６を利用することができる。
【００３０】
次いで、イベント格納部６９に格納されるデータとしては、先ず保護箱５の利用履歴データが挙げられる。利用履歴データとしては、顧客が入力した顧客確認情報、機械錠１８による解錠データ等である。また、本実施形態では、検知センサ２４、２７から出力されるデータや照合部１３における照合結果もイベント格納部６９に格納される。その他に、図示しない上位コンピュータに問い合わせて顧客番号等の顧客情報、解錠時刻、施錠時刻などを格納してもよい。本発明では、いつ、誰が、顧客確認情報の入力により或いは機械錠により、何番の貸金庫番号の保護箱の蓋を解施錠、開閉したなどの履歴が取れる。
【００３１】
以下、本発明に係る貸金庫システムの運用フローを説明する。なお、説明中の符号付きの構成要素については適宜に図１〜図４を参照されたい。
「１．通常利用の場合」
図５は通常利用の場合の貸金庫システムの運用フロー図である。通常利用とは機械錠１８の鍵を使用せずにパスワード等の顧客確認情報を入力して保護箱５を開ける場合を指している。ブース１での本人認証（例えば、従来からの顧客が持参する認証カードによる認証）がＯＫとなれば、保護箱５がブース１の保護箱利用口４へ搬送され、シャッタ４ａが開き、電源７０と保護箱５の電源供給部１６とが接続することにより制御ユニット１１に電源が供給される。
【００３２】
次に操作装置６は「キー１」を取得する。「キー１」とは例えば銀行の支店番号や操作装置６の装置番号である。操作装置６は図示しない上位システムへ問い合わせて取得した「キー１」或いは操作装置６内のメモリに記憶されている「キー１」を保護箱５のデータ通信部１７を介して保護箱５の照合部１３へ送り、保護箱５内でこの「キー１」の認証が行われる。照合部１３は、送信されてきた「キー１」と予め記憶部１５に記憶されている「キー１」との認証（照合）を行う。
【００３３】
認証ＯＫの場合、第１ソレノイド２５が作動し、ピン２５ａが縮退することにより第１ソレノイド２５とカンヌキ２２との係合が解除される。保護箱５は、「キー１」の認証ＯＫの結果と保護箱５の記憶部１５に記憶されている前回の履歴情報を操作装置６に送信する。「キー１」の認証ＯＫの結果はイベント格納部６９に記憶される。また、検知センサ２７の信号に基づき、第１ソレノイド２５が作動した旨がイベント格納部６９に記憶される。操作装置６の表示部５２（操作パネル７）には、前回の履歴情報が表示される。認証ＮＧの場合、保護箱利用口４のシャッタが自動的に閉じられ、操作装置６の操作パネル７に異常が発生したため、銀行員が対応するという旨のメッセージが表示される。
【００３４】
次に、操作装置６は「キー２」を取得する。「キー２」としては、操作装置６から入力される暗証番号やパスワードの他、手のひら静脈や指静脈などの生体認証データ、カード情報等が挙げられる。入力された「キー２」は操作装置６から保護箱５のデータ通信部１７を介して保護箱５の照合部１３へ送られる。照合部１３では、送信されてきた「キー２」と予め記憶部１５（顧客登録情報格納部６７）に記憶されている「キー２」との認証（照合）を行う。
【００３５】
認証ＯＫの場合、第２ソレノイド２９が作動し、ピン２９ａが縮退することによりカンヌキ２２とツマミ部８との係合が解除され、顧客がツマミ部８を開方向に回すことで蓋９を開けることができる。「キー２」の認証ＯＫの結果は、イベント格納部６９に記憶されるとともに、データ通信部１７を介して操作装置６に送信される。そして、操作装置６の表示部５２（操作パネル７）には保護箱５の蓋９が解錠された旨表示される。
【００３６】
保護箱５の蓋９を開け、目的物の出し入れを行い、蓋９を閉めツマミ部８を閉方向に回すと、検知センサ２４の信号に基づき、保護箱５の利用履歴、つまり解錠履歴がイベント格納部６９に記憶され、システムが停止し、保護箱５の電気錠１２は自動施錠される。
なお、「キー２」の認証を３回失敗すると、電気錠１２を解錠することはできないようになっており、操作装置６の操作パネル７に暗証番号を３回間違えたという旨のメッセーズが表示され、保護箱利用口４のシャッタが自動的に閉じられ、保護箱５は貸金庫室２内の所定の収納部に自動的に返却される。なお、図５では保護箱５が保護箱利用口４に到着したときに保護箱５に電源が供給され、保護箱５の照合部１３に「キー１」が送信され照合を行っているが、電源供給のみで「キー１」が送信されない場合も考えられる。
【００３７】
「２．鍵による利用の場合」
図６は機械錠１８の鍵を利用する場合の貸金庫システムの運用フロー図である。顧客は保護箱５の蓋９を顧客確認情報を入力して解錠するか機械錠を利用して解錠するか選択できる。機械錠１８の鍵を利用する場合としては、他に顧客が暗証番号などの顧客確認情報を忘れてしまった場合や、非常時に銀行員が保護箱５を開ける場合なども考えられる。先ず、ブース１での本人認証（例えば、従来からの顧客が持参する認証カードによる認証）がＯＫとなれば、保護箱５がブース１の保護箱利用口４へ搬送され、電源７０と保護箱５の電源供給部１６とが接続することにより、制御ユニット１１に電源が投入される。
【００３８】
次に操作装置６は「キー１」を取得する。「キー１」とは例えば銀行の支店番号や操作装置６の装置番号である。操作装置６は、図示しない上位システムへ問い合わせて取得した「キー１」或いは操作装置６内のメモリに記憶されている「キー１」を保護箱５のデータ通信部１７を介して保護箱５の照合部１３へ送り、保護箱５内でこの「キー１」の認証が行われる。照合部１３は、送信されてきた「キー１」と予め記憶部１５に記憶されている「キー１」との認証（照合）を行う。
【００３９】
認証ＯＫの場合、第１ソレノイド２５が作動し、ピン２５ａが縮退することにより第１ソレノイド２５とカンヌキ２２との係合が解除される。保護箱５は、「キー１」の認証ＯＫの結果と保護箱５の記憶部１５に記憶されている前回の履歴情報を操作装置６に送信する。「キー１」の認証ＯＫの結果はイベント格納部６９に記憶される。また、検知センサ２７の信号に基づき、第１ソレノイド２５が作動した旨がイベント格納部６９に記憶される。操作装置６の表示部５２（操作パネル７）には、前回の履歴情報が表示される。認証ＮＧの場合、保護箱利用口４のシャッタが自動的に閉じられ、操作装置６の操作パネル７に異常が発生したため、銀行員が対応するという旨のメッセージが表示される。
【００４０】
次に、保護箱５の機械錠１８に図示しない鍵を差し込んで回すと、カンヌキ２２とツマミ部８との係合が解除され、ツマミ部８を開方向に回すことで蓋９を開けることができる。検知センサ２４の信号に基づき、蓋９が解錠された旨がデータ通信部１７を介して操作装置６に送信され、操作装置６の表示部５２（操作パネル７）には保護箱５の蓋９が解錠された旨表示される。
【００４１】
保護箱５の蓋９を開け、目的物の出し入れを行い、蓋９を閉めツマミ部８を閉方向に回すと、検知センサ２４の信号に基づき、保護箱５の利用履歴、つまり解錠履歴がイベント格納部６９に記憶され、システムが停止し、保護箱５の電気錠１２は自動施錠される。なお、図６では保護箱５が保護箱利用口４に到着したときに保護箱５に電源が供給され、保護箱５の照合部１３に「キー１」が送信され照合を行っているが、電源供給のみで「キー１」が送信されない場合も考えられる。
【００４２】
以上のように、保護箱５に、顧客がブース１内で入力した顧客確認情報を受信可能とするデータ通信手段（データ通信部１７）と、このデータ通信手段（データ通信部１７）により受信した顧客確認情報と予め保護箱５毎に付与された顧客登録情報とが一致したときに解錠する電気錠１２とを設けた貸金庫システムとすれば、高いセキュリティ性を維持しつつ、銀行に貸与された鍵を使用しなくても保護箱５を開けることができる。
【００４３】
また、搬送される保護箱５が保護箱利用口４に到着したときに保護箱５に電源供給する構成とすれば、保護箱５個々にバッテリ等の電源を備える必要もなくなり、バッテリ等の電源切れにより保護箱５の電気錠１２が解錠不能となることもない。また、経済的な貸金庫システムを構築できる。
【００４４】
データ通信手段（データ通信部１７）により受信した顧客確認情報と予め保護箱５毎に付与された顧客登録情報とを照合する照合手段（照合部１３）を保護箱５に設ければ、保護箱５内で照合が完結し、照合をするために前記顧客登録情報が保護箱５内から外に出て漏れることがなく、前記顧客登録情報を厳重にセキュリティ管理することができる。また、照合時間が迅速になるので、顧客にとってスピーディーに保護箱５を利用できる。
【００４５】
保護箱５の蓋９の開閉状態や第１ソレノイド２５の作動状態を検知する検知手段（検知センサ２４、２７）と、蓋９の開閉履歴や第１ソレノイド２５の作動状態を顧客が入力した顧客確認情報による解錠か、機械錠１８を利用した解錠であるかと共に記憶する記憶手段（記憶部１５）とを保護箱５に設ければ、顧客確認情報を入力し解錠した場合か、機械錠１８を利用し解錠した場合かを区別して、保護箱５の蓋９の解施錠履歴や開閉履歴を確実に残すことができる。したがって、顧客が保護箱５内の目的物を出し入れする直前の行動である保護箱５の蓋９の解錠作業について厳重にセキュリティ管理することができる。
【００４６】
以上、本発明について好適な実施形態を説明した。非常時、保護箱５が保護箱利用口４に到着していない場合で銀行員が機械錠１８を用いて蓋９を開ける場合などには、専用の給電装置を用いて制御ユニット１１に電源供給すればよい。また、保護箱５が電源供給部１６を介して操作装置６側から給電され、データ通信部１７を介して銀行の支店番号などの照合データが送信される場合には、専用の給電装置を利用する場合にも保護箱５の電源供給部１６を介して給電すると同時にデータ通信部１７を介して銀行の支店番号など照合データを送信する必要がある。その場合、不正に保護箱５の電源供給部１６を介して給電するだけでは保護箱５を開けることは出来ず、専用の給電装置が必要となり、より厳重なセキュリティ管理となる。その他、本発明はその趣旨を逸脱しない範囲で種々の設計変更が可能である。
【図面の簡単な説明】
【００４７】
【図１】本発明の貸金庫システムにおけるブース周りの一例を示す外観斜視図である。
【図２】本発明の貸金庫システムに用いられる保護箱の外観斜視図である。
【図３】電気錠の平面構造図である。
【図４】貸金庫システムの構成ブロック図である。
【図５】通常利用の場合の貸金庫システムの運用フロー図である。
【図６】機械錠の鍵を利用する場合の貸金庫システムの運用フロー図である。
【符号の説明】
【００４８】
１      ブース
２      貸金庫室
４      保護箱利用口
５      保護箱
６      操作装置
７      操作パネル
１０      収納部
１１      制御ユニット
１２      電気錠
２２      カンヌキ
２５      第１ソレノイド
２９      第２ソレノイド
【図１】
0004960805.tif 000002
【図２】
0004960805.tif 000003
【図３】
0004960805.tif 000004
【図４】
0004960805.tif 000005
【図５】
0004960805.tif 000006
【図６】
0004960805.tif 000007